【手続補正書】
【提出日】平成25年3月27日(2013.3.27)
【手続補正１】
【補正対象書類名】明細書
【補正対象項目名】発明の名称
【補正方法】変更
【補正の内容】
【発明の名称】コード画像に関する装置、方法及びプログラム
【手続補正２】
【補正対象書類名】明細書
【補正対象項目名】０００１
【補正方法】変更
【補正の内容】
【０００１】
本発明は、コード画像に関する装置、方法、プログラムに関する。
【手続補正３】
【補正対象書類名】明細書
【補正対象項目名】０００７
【補正方法】変更
【補正の内容】
【０００７】
上記課題を解決するために、本発明の装置は、コード画像が印刷された紙媒体に印刷された情報を読み取ることで、コード画像を含む画像情報を生成する生成手段と、前記画像情報に含まれるコード画像の復号化を行うことで、当該コード画像に含まれる情報を得る復号化手段と、前記得られた情報に複写禁止を示す情報が含まれているか判別する手段と、印刷手段と、を有し、前記印刷手段は、前記復号化手段での復号化が失敗し、前記コード画像に含まれる情報が得られなかった場合に、前記画像情報の印刷を行わず、前記得られた情報に複写禁止を示す情報が含まれていると判別されなかった場合に、前記画像情報の印刷を行い、前記得られた情報に複写禁止を示す情報が含まれていると判別された場合に、前記画像情報の印刷を行わないことを特徴とする。
【手続補正４】
【補正対象書類名】特許請求の範囲
【補正対象項目名】全文
【補正方法】変更
【補正の内容】
【特許請求の範囲】
【請求項１】
コード画像が印刷された紙媒体に印刷された情報を読み取ることで、コード画像を含む画像情報を生成する生成手段と、
前記画像情報に含まれるコード画像の復号化を行うことで、当該コード画像に含まれる情報を得る復号化手段と、
前記得られた情報に複写禁止を示す情報が含まれているか判別する手段と、
印刷手段と、
を有し、
前記印刷手段は、
前記復号化手段での復号化が失敗し、前記コード画像に含まれる情報が得られなかった場合に、前記画像情報の印刷を行わず、
前記得られた情報に複写禁止を示す情報が含まれていると判別されなかった場合に、前記画像情報の印刷を行い、
前記得られた情報に複写禁止を示す情報が含まれていると判別された場合に、前記画像情報の印刷を行わない
ことを特徴とする装置。
【請求項２】
紙媒体に印刷された情報を読み取ることで、画像情報を生成する生成手段と、
前記画像情報からコード画像を検出する検出手段と、
前記検出手段で前記画像情報からコード画像が検出された場合に、当該検出されたコード画像の復号化を行うことで、当該コード画像に含まれる情報を得る復号化手段と、
前記得られた情報に複写禁止を示す情報が含まれているか判別する手段と、
印刷手段と、
を有し、
前記印刷手段は、
前記検出手段で前記画像情報からコード画像が検出されなかった場合に、前記画像情報の印刷を行い、
前記復号化手段での復号化が失敗し、前記検出されたコード画像に含まれる情報が得られなかった場合に、前記画像情報の印刷を行わず、
前記得られた情報に複写禁止を示す情報が含まれていると判別されなかった場合に、前記画像情報の印刷を行い、
前記得られた情報に複写禁止を示す情報が含まれていると判別された場合に、前記画像情報の印刷を行わない
ことを特徴とする装置。
【請求項３】
紙媒体に印刷された情報を読み取ることで、画像情報を生成する生成手段と、
前記画像情報からコード画像を検出する検出手段と、
前記検出手段で前記画像情報からコード画像が検出された場合に、当該検出されたコード画像の復号化を行うことで、当該検出されたコード画像に含まれる情報を得る復号化手段と、
前記得られた情報に複写の可否を示す情報が含まれていることを示す情報が、前記得られた情報に含まれているか判別する手段と、
前記得られた情報に複写の可否を示す情報が含まれていることを示す情報が、前記得られた情報に含まれていると判別された場合に、前記複写の可否を示す情報が複写否を示しているか判別する手段と、
印刷手段と
を有し、
前記印刷手段は、
前記検出手段で前記画像情報からコード画像が検出されなかった場合に、前記画像情報の印刷を行い
前記復号化手段での復号化が失敗し、前記検出されたコード画像に含まれる情報が得られなかった場合に、前記画像情報の印刷を行わず、
前記得られた情報に複写の可否を示す情報が含まれていることを示す情報が、前記得られた情報に含まれていると判別されなかった場合に、前記画像情報の印刷を行い、
前記複写の可否を示す情報が複写否を示していると判別された場合に、前記画像情報の印刷を行わず、
前記複写の可否を示す情報が複写否を示していると判別されなかった場合に、前記画像情報の印刷を行う
ことを特徴とする装置。
【請求項４】
コード画像が印刷された紙媒体に印刷された情報を読み取ることで、コード画像を含む画像情報を生成する生成手段と、
前記画像情報に含まれるコード画像の復号化を行うことで、当該コード画像に含まれる情報を得る復号化手段と、
前記得られた情報に複写の可否を示す情報が含まれていることを示す情報が、前記得られた情報に含まれているか判別する手段と、
前記得られた情報に複写の可否を示す情報が含まれていることを示す情報が、前記得られた情報に含まれていると判別された場合に、前記複写の可否を示す情報が複写否を示しているか判別する手段と、
印刷手段と、
を有し、
前記印刷手段は、
前記復号化手段での復号化が失敗し、前記検出されたコード画像に含まれる情報が得られなかった場合に、前記画像情報の印刷を行わず、
前記得られた情報に複写の可否を示す情報が含まれていることを示す情報が、前記得られた情報に含まれていると判別されなかった場合に、前記画像情報の印刷を行い、
前記複写の可否を示す情報が複写否を示していると判別された場合に、前記画像情報の印刷を行わず、
前記複写の可否を示す情報が複写否を示していると判別されなかった場合に、前記画像情報の印刷を行う
ことを特徴とする装置。
【請求項５】
コード画像が印刷された紙媒体に印刷された情報を読み取ることで、コード画像を含む画像情報を生成する生成手段と、
前記画像情報に含まれるコード画像の復号化を行うことで、当該コード画像に含まれる情報を得る復号化手段と、
前記得られた情報に識別情報が含まれているか判別する手段と、
前記得られた情報に識別情報が含まれていると判別された場合に、複写の可否を示す情報が複写否を示しているか判別する手段と、
印刷手段と、
を有し、
前記印刷手段は、
前記復号化手段での復号化が失敗し、前記検出されたコード画像に含まれる情報が得られなかった場合に、前記画像情報の印刷を行わず、
前記得られた情報に識別情報が含まれていると判別されなかった場合に、前記画像情報の印刷を行い、
前記複写の可否を示す情報が複写否を示していると判別された場合に、前記画像情報の印刷を行わず、
前記複写の可否を示す情報が複写否を示していると判別されなかった場合に、前記画像情報の印刷を行い、
前記得られた情報に識別情報が含まれている場合には、前記得られた情報に複写の可否を示す情報が含まれている
ことを特徴とする装置。
【請求項６】
コード画像が印刷された紙媒体に印刷された情報を読み取ることで、コード画像を含む画像情報を生成する生成手段と、
前記画像情報に含まれるコード画像の復号化を行うことで、当該コード画像に含まれる情報を得る復号化手段と、
前記得られた情報に第１の情報が含まれているか判別する手段と、
前記得られた情報に第１の情報が含まれていると判別された場合に、第２の情報が複写否を示しているか判別する手段と、
印刷手段と、
を有し、
前記印刷手段は、
前記復号化手段での復号化が失敗し、前記検出されたコード画像に含まれる情報が得られなかった場合に、前記画像情報の印刷を行わず、
前記得られた情報に第１の情報が含まれていると判別されなかった場合に、前記画像情報の印刷を行い、
前記第２の情報が複写否を示していると判別された場合に、前記画像情報の印刷を行わず、
前記第２の情報が複写否を示していると判別されなかった場合に、前記画像情報の印刷を行い、
前記得られた情報に第１の情報が含まれている場合には、前記得られた情報に第２の情報が含まれている
ことを特徴とする装置。
【請求項７】
第１の情報とは、これが前記得られた情報に含まれている場合に、前記得られた情報に第２の情報が含まれていることを示す情報であることを特徴とする請求項６に記載の装置。
【請求項８】
前記検出手段で前記画像情報からコード画像が検出されたとは、コード画像の四隅に含まれる三つのマークが検出されたことを示し、
前記検出手段で前記画像情報からコード画像が検出されなかったとは、コード画像の四隅に含まれる三つのマークが検出されなかったことを示す
ことを特徴とする請求項２又は３に記載の装置。
【請求項９】
生成手段が、コード画像が印刷された紙媒体に印刷された情報を読み取ることで、コード画像を含む画像情報を生成するステップと、
復号化手段が、前記画像情報に含まれるコード画像の復号化を行うことで、当該コード画像に含まれる情報を得る復号化ステップと、
判別手段が、前記得られた情報に複写禁止を示す情報が含まれているか判別するステップと、
印刷手段が、
前記復号化ステップでの復号化が失敗し、前記コード画像に含まれる情報が得られなかった場合に、前記画像情報の印刷を行わず、
前記得られた情報に複写禁止を示す情報が含まれていると判別されなかった場合に、前記画像情報の印刷を行い、
前記得られた情報に複写禁止を示す情報が含まれていると判別された場合に、前記画像情報の印刷を行わない、印刷ステップと、
を含むことを特徴とする方法。
【請求項１０】
生成手段が、紙媒体に印刷された情報を読み取ることで、画像情報を生成する生成ステップと、
検出手段が、前記画像情報からコード画像を検出する検出ステップと、
復号化手段が、前記検出ステップで前記画像情報からコード画像が検出された場合に、当該検出されたコード画像の復号化を行うことで、当該コード画像に含まれる情報を得る復号化ステップと、
判別手段が、前記得られた情報に複写禁止を示す情報が含まれているか判別するステップと、
印刷手段が、
前記検出ステップで前記画像情報からコード画像が検出されなかった場合に、前記画像情報の印刷を行い、
前記復号化ステップでの復号化が失敗し、前記検出されたコード画像に含まれる情報が得られなかった場合に、前記画像情報の印刷を行わず、
前記得られた情報に複写禁止を示す情報が含まれていると判別されなかった場合に、前記画像情報の印刷を行い、
前記得られた情報に複写禁止を示す情報が含まれていると判別された場合に、前記画像情報の印刷を行わない、印刷するステップと、
を含むことを特徴とする方法。
【請求項１１】
生成手段が、紙媒体に印刷された情報を読み取ることで、画像情報を生成する生成ステップと、
検出手段が、前記画像情報からコード画像を検出する検出ステップと、
復号化手段が、前記検出ステップで前記画像情報からコード画像が検出された場合に、当該検出されたコード画像の復号化を行うことで、当該検出されたコード画像に含まれる情報を得る復号化ステップと、
判別手段が、前記得られた情報に複写の可否を示す情報が含まれていることを示す情報が、前記得られた情報に含まれているか判別するステップと、
判別手段が、前記得られた情報に複写の可否を示す情報が含まれていることを示す情報が、前記得られた情報に含まれていると判別された場合に、前記複写の可否を示す情報が複写否を示しているか判別するステップと、
印刷手段が、
前記検出ステップで前記画像情報からコード画像が検出されなかった場合に、前記画像情報の印刷を行い
前記復号化ステップでの復号化が失敗し、前記検出されたコード画像に含まれる情報が得られなかった場合に、前記画像情報の印刷を行わず、
前記得られた情報に複写の可否を示す情報が含まれていることを示す情報が、前記得られた情報に含まれていると判別されなかった場合に、前記画像情報の印刷を行い、
前記複写の可否を示す情報が複写否を示していると判別された場合に、前記画像情報の印刷を行わず、
前記複写の可否を示す情報が複写否を示していると判別されなかった場合に、前記画像情報の印刷を行う、印刷ステップと、
を含むことを特徴とする方法。
【請求項１２】
生成手段が、コード画像が印刷された紙媒体に印刷された情報を読み取ることで、コード画像を含む画像情報を生成する生成ステップと、
復号化手段が、前記画像情報に含まれるコード画像の復号化を行うことで、当該コード画像に含まれる情報を得る復号化ステップと、
判別手段が、前記得られた情報に複写の可否を示す情報が含まれていることを示す情報が、前記得られた情報に含まれているか判別するステップと、
判別手段が、前記得られた情報に複写の可否を示す情報が含まれていることを示す情報が、前記得られた情報に含まれていると判別された場合に、前記複写の可否を示す情報が複写否を示しているか判別するステップと、
印刷手段が、
前記復号化ステップでの復号化が失敗し、前記検出されたコード画像に含まれる情報が得られなかった場合に、前記画像情報の印刷を行わず、
前記得られた情報に複写の可否を示す情報が含まれていることを示す情報が、前記得られた情報に含まれていると判別されなかった場合に、前記画像情報の印刷を行い、
前記複写の可否を示す情報が複写否を示していると判別された場合に、前記画像情報の印刷を行わず、
前記複写の可否を示す情報が複写否を示していると判別されなかった場合に、前記画像情報の印刷を行う、印刷ステップと、
を含むことを特徴とする方法。
【請求項１３】
生成手段が、コード画像が印刷された紙媒体に印刷された情報を読み取ることで、コード画像を含む画像情報を生成する生成ステップと、
復号化手段が、前記画像情報に含まれるコード画像の復号化を行うことで、当該コード画像に含まれる情報を得る復号化ステップと、
判別手段が、前記得られた情報に識別情報が含まれているか判別するステップと、
判別手段が、前記得られた情報に識別情報が含まれていると判別された場合に、複写の可否を示す情報が複写否を示しているか判別するステップと、
印刷手段が、
前記復号化ステップでの復号化が失敗し、前記検出されたコード画像に含まれる情報が得られなかった場合に、前記画像情報の印刷を行わず、
前記得られた情報に識別情報が含まれていると判別されなかった場合に、前記画像情報の印刷を行い、
前記複写の可否を示す情報が複写否を示していると判別された場合に、前記画像情報の印刷を行わず、
前記複写の可否を示す情報が複写否を示していると判別されなかった場合に、前記画像情報の印刷を行う、印刷ステップと、
を含み、
前記得られた情報に識別情報が含まれている場合には、前記得られた情報に複写の可否を示す情報が含まれている
ことを特徴とする方法。
【請求項１４】
生成手段が、コード画像が印刷された紙媒体に印刷された情報を読み取ることで、コード画像を含む画像情報を生成する生成ステップと、
復号化手段が、前記画像情報に含まれるコード画像の復号化を行うことで、当該コード画像に含まれる情報を得る復号化ステップと、
判別手段が、前記得られた情報に第１の情報が含まれているか判別するステップと、
判別手段が、前記得られた情報に第１の情報が含まれていると判別された場合に、第２の情報が複写否を示しているか判別するステップと、
印刷手段が、
前記復号化ステップでの復号化が失敗し、前記検出されたコード画像に含まれる情報が得られなかった場合に、前記画像情報の印刷を行わず、
前記得られた情報に第１の情報が含まれていると判別されなかった場合に、前記画像情報の印刷を行い、
前記第２の情報が複写否を示していると判別された場合に、前記画像情報の印刷を行わず、
前記第２の情報が複写否を示していると判別されなかった場合に、前記画像情報の印刷を行う、印刷ステップと、
を含み、
前記得られた情報に第１の情報が含まれている場合には、前記得られた情報に第２の情報が含まれている
ことを特徴とする方法。
【請求項１５】
第１の情報とは、これが前記得られた情報に含まれている場合に、前記得られた情報に第２の情報が含まれていることを示す情報であることを特徴とする請求項１４に記載の方法。
【請求項１６】
前記検出ステップで前記画像情報からコード画像が検出されたとは、コード画像の四隅に含まれる三つのマークが検出されたことを示し、
前記検出ステップで前記画像情報からコード画像が検出されなかったとは、コード画像の四隅に含まれる三つのマークが検出されなかったことを示す
ことを特徴とする請求項１４又は１５に記載の方法。
【請求項１７】
コンピュータに、請求項９乃至１６のいずれか１項に記載の方法を実行させるためのプログラム。